(57)【要約】【課題】分岐ブレーカを母線バーから取り外した状態としても、作業者が母線バーの端面に接触するのを抑制できるようにすること。【解決手段】プラグイン式ブレーカが接続される母線バー２を備えた分電盤であって、母線バーの短手方向端面２２をカバーする第一保護カバー５を備え、母線バーの表面若しくは裏面の少なくとも一方に、プラグ端子が接触するための開放部３を備えた構成とする。【選択図】図５
2020022278.tif 000002
【特許請求の範囲】
【請求項１】
プラグイン式ブレーカが接続される母線バーを備えた分電盤であって、
母線バーの短手方向端面をカバーする第一保護カバーを備え、
母線バーの表面若しくは裏面の少なくとも一方に、プラグ端子が接触するための開放部を備えた分電盤。
【請求項２】
第一の母線バーの裏面と第二の母線バーの表面の間に第二保護カバーを備えた請求項１に記載の分電盤。
【請求項３】
第二保護カバーは、第一の母線バーに取り付けられる第一保護カバーと当接するとともに、第二の母線バーに取り付けられる第一保護カバーと当接する請求項２に記載の分電盤。
【請求項４】
プラグイン式ブレーカに、プラグ端子を備えたプラグ溝部を備え、
プラグ溝部とプラグ溝部の間に、第二保護カバーが侵入可能なカバー用溝部を備えた請求項２又は３に記載の分電盤。
【請求項５】
少なくとも第一保護カバーと第二保護カバーの何れかには、プラグ溝部若しくはカバー用溝部に当接する補強部を備えた請求項４に記載の分電盤。
【発明の詳細な説明】
【技術分野】
【０００１】
本発明は、分電盤に関するものである。
【背景技術】
【０００２】
特許文献１に記載されているように、母線バーに分岐ブレーカがプラグ接続されることが知られている。
【先行技術文献】
【特許文献】
【０００３】
【特許文献１】特開２０１４−２６７３０号公報
【０００４】
ところで、分岐ブレーカの交換などを行う際、分岐ブレーカを取り外した部分は、母線バーの端面などが露出することになる。しかし、母線バーの端面などが露出して触れる状態であることは、好ましいことではなかった。分岐ブレーカを取り外した後に、露出した部分全体をカバーで覆うことも考えられるが、この場合、分岐ブレーカを取り付ける際には、このカバーを取り外さねばならず、作業が面倒である。
【発明の概要】
【発明が解決しようとする課題】
【０００５】
本件の発明者は、この点について鋭意検討することにより、解決を試みた。本発明の課題は、分岐ブレーカを母線バーから取り外した状態としても、作業者が母線バーに接触するのを抑制できるようにすることである。
【課題を解決するための手段】
【０００６】
上記課題を解決するため、プラグイン式ブレーカが接続される母線バーを備えた分電盤であって、母線バーの短手方向端面をカバーする第一保護カバーを備え、母線バーの表面若しくは裏面の少なくとも一方に、プラグ端子が接触するための開放部を備えた分電盤とする。
【０００７】
また、第一の母線バーの裏面と第二の母線バーの表面の間に第二保護カバーを備えた構成とすることが好ましい。
【０００８】
また、第二保護カバーは、第一の母線バーに取り付けられる第一保護カバーと当接するとともに、第二の母線バーに取り付けられる第一保護カバーと当接する構成とすることが好ましい。
【０００９】
また、プラグイン式ブレーカに、プラグ端子を備えたプラグ溝部を備え、
プラグ溝部とプラグ溝部の間に、第二保護カバーが侵入可能なカバー用溝部を備えた構成とすることが好ましい。
【００１０】
また、少なくとも第一保護カバーと第二保護カバーの何れかには、プラグ溝部若しくはカバー用溝部に当接する補強部を備えた構成とすることが好ましい。
【発明の効果】
【００１１】
本発明では、分岐ブレーカを母線バーから取り外した状態としても、作業者が母線バーの端面に接触するのを抑制できるようにすることができる。
【図面の簡単な説明】
【００１２】
【図１】扉を開いた分電盤の斜視図である。
【図２】分電盤の分解斜視図である。
【図３】分電盤に備えられる内機の斜視図である。但し、分岐ブレーカの一つを母線バーに接続する前の状態を表している。
【図４】母線バーに第一保護カバーと第二保護カバーを取り付けた状態を示した拡大図である。
【図５】母線バーに第一保護カバーを取り付けた状態を示した拡大図である。
【図６】第一保護カバーの斜視図である。
【図７】第一保護カバーの側面図である。
【図８】第一保護カバーと第二保護カバーを取り付けた母線バーに、第一保護カバーを取り付けた母線バーを接続しようとしている状態を表した拡大図である。
【図９】第一保護カバーと第二保護カバーを取り付けた母線バーに、第一保護カバーを取り付けた母線バーを接続する際の動きを表した図である。但し、母線バーの長手方向端部側から見ている。
【図１０】分岐ブレーカの斜視図である。
【図１１】第一保護カバーと第二保護カバーが取り付けられた母線バー群に、分岐ブレーカが接続されていることを、母線バーの長手方向端部側から見た状態を表した図である。
【図１２】他の実施形態の分岐ブレーカの接続構造を示した図である。但し、母線バーの長手方向端部側から見た状態を表している。
【発明を実施するための形態】
【００１３】
以下に発明を実施するための形態を示す。図１乃至図５に示されていることから理解されるように、実施形態の分電盤１は、プラグイン式分岐ブレーカ９が接続される母線バー２を備えたものである。また、この分電盤１は、母線バー２の短手方向端面２２をカバーする第一保護カバー５を備え、母線バー２の表面若しくは裏面の少なくとも一方には、プラグ端子９１が接触するための開放部３を備えた構成とする。このため、分岐ブレーカ９を母線バー２から取り外した状態としても、作業者が母線バー２の端面２２に接触するのを抑制できる。
【００１４】
図３に示すように、本明細書では、長板状に形成された母線バー２の長手方向を左右方向とし、短手方向を上下方向とする。また、母線バー２が積まれる方向を前後方向とする。
【００１５】
実施形態の分電盤１には、主幹ブレーカ１１や分岐ブレーカ９を備えている。また、実施形態の分電盤１の内部には、内機１３が固定されている。内機１３には、分岐ブレーカ９を取り付ける母線バー２が備えられており、分岐ブレーカ９を取り付けるための取付板１４も備えている。実施形態の分岐ブレーカ９はプラグイン式ブレーカであり、母線バー２の短手方向に向けて分岐ブレーカ９をスライド移動させれば、母線バー２と分岐ブレーカ９を電気的に接続させることができる。
【００１６】
図３に示すことから理解されるように、分岐ブレーカ９に接続される母線バー２は、通常、複数で一つの群を形成するように構成され、一つの群には前後方向に間隔を置いて複数の母線バー２が配置される。また、複数の母線バー２は複数の支持部２００により保持されている。一つの群のこれらの母線バー２は、分岐ブレーカ９をスライド移動させると、分岐ブレーカ９における各々の対応位置に接続される。
【００１７】
実施形態の第一保護カバー５は絶縁性のある樹脂部材で構成されている。図５から図７に示すことから理解されるように、この第一保護カバー５は、一つの母線バー２の表面と裏面を挟むように母線バー２に取り付けられている。特に母線バー２の短手方向の一方側と他方側に各々独立した第一保護カバー５が取り付けられている。この第一保護カバー５は、取り付けられた母線バー２の短手方向端面２２をカバーするためのものであり、端面保護部５１が母線バー２の短手方向端面２２の長手方向に沿うように取り付けられている。なお、端面保護部５１は曲線状でプラグ端子９１を開放部３までガイド可能に形成している。
【００１８】
また、実施形態の第一保護カバー５は、端面保護部５１から第一保持部５２と第二保持部５３が延びるように構成されており、第一保持部５２と第二保持部５３が母線バー２を挟むことで第一保護カバー５が母線バー２に取り付けられる。
【００１９】
第一保持部５２には複数の腕部５４が備えられている。これらの腕部５４は、一端側が端面保護部５１に接続されるとともに、他端側が連結棒５５に接続されている。つまり、連結棒５５と端面保護部５１の間に複数の腕部５４が介在している構成である。腕部５４と腕部５４の間には隙間があり、この腕部５４と腕部５４との間が、プラグ端子９１が接続される母線バー２の開放部３が露出される構造となる。この開放部３は、プラグ端子９１が配置できる位置に、プラグ端子９１が配置できる大きさとなるように構成されている。
【００２０】
第二保持部５３においても、第一保持部５２と同様の構成であり、複数の腕部５４が備えられている。また、第二保持部５３に設けられた、これらの腕部５４は、一端側が端面保護部５１に接続されるとともに、他端側が連結棒５５に接続されている。腕部５４と腕部５４との間に構成された母線バー２の開放部３は、プラグ端子９１が配置できる位置に、プラグ端子９１が配置できる大きさとなるように構成されている。つまり、母線バー２の表面と裏面の双方には、プラグ端子９１に接触するための開放部３を備えている。これにより、プラグ端子９１と母線バー２がしっかりと接触した状態とすることができる。第一保護カバー５は前後に複数積層されて形成した母線バー２の各々に密着させるように装着している。１種類の第一保護カバー５を兼用するため部品点数を少なくできる。また、第一保護カバー５は母線バー２の端部に密着して形成するため、プラグ端子９１を母線バー２の開放部３に接触させるために、第一保護カバー５を避ける形状にしたり、大きくする必要がない。
【００２１】
実施形態の第一保護カバー５は、母線バー２の短手方向端面２２をカバーしているため、母線バー２の近くで作業をしていた場合などに、手が母線バー２に触れてしまうことを回避させやすい。ただし、より安全を考慮するなら、母線バー２と母線バー２の間に指を挿し込める隙間が無い状態にするのが好ましい。このため、本実施形態では、第一の母線バー２の裏面と第二の母線バー２の表面の間に第二保護カバー６を備えた構成としている。この第二保護カバー６は絶縁性のある板状の樹脂部材で構成されている。この第二保護カバー６の存在により、母線バー２と母線バー２の隙間に指などが入りにくくなり、母線バー２の表面や裏面に指などが触れる危険性が抑制される。
【００２２】
実施形態の第二保護カバー６の幅方向の長さは、母線バー２の幅方向の長さよりも長くなっており、第二保護カバー６は、母線バー２の両側端よりも突出するように構成されている。なお、第二保護カバー６は平面視で略長方形状となっている。第二保護カバー６は、母線バー２の幅方向の長さと同じ、または、長くすることが好ましく、この構造により、母線バー２の表面や裏面に指などが触れる危険性が抑制される。
【００２３】
ところで、実施形態では、第一の母線バー２の裏面と第二の母線バー２の表面の間に位置する第二保護カバー６は、第一の母線バー２に取り付けられる第一保護カバー５と当接するとともに、第二の母線バー２に取り付けられる第一保護カバー５と当接する。この第一保護カバー５と第二保護カバー６を組み合わせた構造により、母線バー２の支持をすることができ、母線バー２が湾曲することを抑制することができる。
【００２４】
第二保護カバー６と第一保護カバー５は連結されるが、より具体的には、凹凸の嵌めあいにより連結される。このようにすれば、連結作業が容易となる。図８に示す例では、第一保護カバー５に連結用凸部５６が複数設けられている。また、第二保護カバー６には、これに対応する連結用凹部６６が複数設けられている。図８及び図９に示すことから理解されるように、これら連結用凸部５６と連結用凹部６６を嵌め合わせて、第一保護カバー５と第二保護カバー６を組み合わせる。実施形態の第二保護カバー６には表面にも裏面にも連結用凹部６６が複数設けられている。なお、第一保護カバー５、第二保護カバー６は長尺状に形成しており、複数の分岐ブレーカ９に対応するように形成しているため部品点数を少なく形成できる。また、本実施形態では、第一保護カバー５、第二保護カバー６は母線バー２の支持部２００間に形成し、複数の部材を組み合わせて構成しており、分電盤１の大きさによって、部材を追加することによって保護範囲を適宜変更することができるように形成している。
【００２５】
ここで、第一保護カバー５と第二保護カバー６と母線バー２の組み立て例について、説明する。なお、本例では、母線バー２は前後方向に三つ並ぶように配置されるものである。先ず、断面略Ｕ字状の第一保護カバー５を後側に配置される母線バー２に取り付ける。この際、母線バー２の両側端に、各々第一保護カバー５を取り付ける。母線バー２に取り付けられた第一保護カバー５の連結用凸部５６を、第二保護カバー６の連結用凹部６６に差し込んで接続する。第一保護カバー５の前側に取り付けられた第二保護カバー６の前側に、第一保護カバー５が取り付けられた母線バー２（真ん中に配置されるもの）を配置し、第一保護カバー５と第二保護カバー６を接続する。以後、同様にして前側に配置される母線バー２に接続する。なお、一番前に配置された母線バー２の第一保護カバー５に対して更に、第二保護カバー６を取り付ければ、図３及び図４に示すような形態となる。このようにすれば、第二保護カバー６は、従来の保護カバーと同様の機能を発揮できる。なお、図３及び図４に示す例においては、後側に配置される母線バー２の後側にも第二保護カバー６が配置されている。
【００２６】
ところで、実施形態の分電盤１で使用されるプラグイン式分岐ブレーカ９は、プラグ端子９１を備えたプラグ溝部９２を備えている。また、図１０に示すように、プラグ溝部９２とプラグ溝部９２の間に、第二保護カバー６が侵入可能なカバー用溝部９３を備えている。このため、第二保護カバー６を十分に長くすることができる。なお、図１０に示したブレーカは、ねじ端子式ブレーカに変換部材をつけてプラグイン式分岐ブレーカ９としている。
【００２７】
少なくとも第一保護カバー５と第二保護カバー６の何れかには、プラグ溝部９２若しくはカバー用溝部９３に当接する補強部６２を備えた構成とすることが好ましい。このようにすれば、プラグ溝部９２やカバー用溝部９３周りの強度を確保しやすくなる。なお、図１１に示す実施形態では、第二保護カバー６の端部が膨らんだ形状とし、カバー用溝部９３と当接する補強部６２としている。第二保護カバー６が第一保護カバー５よりも側方に突出するように形成しているが、補強部６２の存在により、カバー用溝部９３の内部などの強度を確保できる。なお、補強部６２は溝の内側で前後方向に当接する。
【００２８】
なお、図１２に示す実施形態では、母線バー７０の短手方向端面７２が先細り構造としており、先細り構造とした短手方向端面７２のみをカバーする第一保護カバー８０を備えたものとしている。この第一保護カバー８０は、母線バー７０の開放部３までは覆わない形状としているため、プラグ端子９１が接触するための部分が確保される。本実施形態においては、第一保護カバー８０が母線バー７０の表面の一部を覆うように形成されるので、プラグイン式分岐ブレーカ９を取り外した状態としても、作業者が母線バー７０の端面７２に接触するのを抑制できる。また、母線バー７０の形状として先細り構造として説明したが、短手方向端面７２にフック部を形成し、開放部３とフック部間の間に溝部を形成し、第一保護カバー８０を係止させるものであっても良い。
【００２９】
以上、実施形態を例に挙げて本発明について説明してきたが、本発明は上記実施形態に限定されることはなく、各種の態様とすることが可能である。例えば、第一保護カバーと第二保護カバーは連結されていなくても良い。例えば、単に当接されている構成としても良い。このようにしても、母線バーを支持できるように構成することができる。
【００３０】
第一保護カバーと第二保護カバーは別体で構成する必要は無い。第一保護カバーと第二保護カバーが分割不能な一体となるように形成するようにしても良い。また、第二保護カバーは板状ではなく櫛状に形成するものであっても良い。
【００３１】
プラグイン式分岐ブレーカは、ねじ端子式ブレーカに変換部材をつけてプラグイン式分岐ブレーカとしたものである必要は無い。もともと、プラグイン式分岐ブレーカとして製造したものであっても良い。また、本実施形態においては、プラグイン式分岐ブレーカとして説明したが、プラグイン式主幹ブレーカも接続するものであっても良い。
【符号の説明】
【００３２】
１  分電盤
２  母線バー
３  開放部
５  第一保護カバー
６  第二保護カバー
９  分岐ブレーカ
２２  母線バーの短手方向端面
６２  補強部
９１  プラグ端子
９２  プラグ溝部
９３  カバー用溝部
【図１】
2020022278.tif 000003
【図２】
2020022278.tif 000004
【図３】
2020022278.tif 000005
【図４】
2020022278.tif 000006
【図５】
2020022278.tif 000007
【図６】
2020022278.tif 000008
【図７】
2020022278.tif 000009
【図８】
2020022278.tif 000010
【図９】
2020022278.tif 000011
【図１０】
2020022278.tif 000012
【図１１】
2020022278.tif 000013
【図１２】
2020022278.tif 000014